(57)【要約】【課題】  小型、携帯型の電子時計を装着あるいは携行して飛行機で移動する場合でもローカル時間を自動的に表示する。【解決手段】  圧力測定部６１は、所定時間間隔毎に外部の気体の圧力を測定する。ＣＰＵ５１は、今回の測定圧力と前回の測定圧力との差である圧力差に基づいて、航空機による移動がなされているか否かを判別する。ＣＰＵ５１および時刻情報更新部７０は、航空機による移動がなされていると判別された場合に、所定の受信間隔でＧＰＳ衛星からのＧＰＳ測位電波を受信して時間情報を取得し、時間情報を更新する。【選択図】      図２
2005221449.tif 000002
【特許請求の範囲】
【請求項１】
所定時間間隔毎に外部の気体の圧力を測定する圧力測定部と、
今回の測定圧力と前回の測定圧力との差である圧力差に基づいて、航空機による移動がなされているか否かを判別する航空機移動判別部と、
所定の受信間隔でＧＰＳ衛星からのＧＰＳ測位電波を受信して時間情報を取得し、時間情報を更新する時間情報取得部と、
航空機による移動がなされていると判別された場合に、前記時間情報取得部に前記時間情報を取得させ、前記時間情報の更新を行わせる更新制御部と、
を備えたことを特徴とする電子時計。
【請求項２】
請求項１記載の電子時計において、
前記航空機移動判別部は、前記圧力差が所定の基準圧力差以上である場合に前記航空機による移動がなされていると判別することを特徴とする電子時計。
【請求項３】
請求項２記載の電子時計において、
前記基準圧力差は、所定の高度差に相当するものであることを特徴とする電子時計。
【請求項４】
請求項１ないし請求項４のいずれかに記載の電子時計において、
航空機による移動がなされていると判別され、かつ、前記今回の測定圧力が前記前回の測定圧力より減少している場合には、前記時間情報取得部における受信間隔を所定の通常時間間隔より短い時間間隔とする受信間隔制御部を備えたことを特徴とする電子時計。
【請求項５】
請求項４記載の電子時計において、
前記受信間隔制御部は、航空機による移動がなされていると判別され、かつ、前記今回の測定圧力が前記前回の測定圧力より増加している場合には、前記時間情報取得部における受信間隔を前記通常時間間隔とすることを特徴とする電子時計。
【請求項６】
所定時間間隔毎に外部の気体の圧力を測定する圧力測定過程と、
今回の測定圧力と前回の測定圧力との差である圧力差に基づいて、航空機による移動がなされているか否かを判別する航空機移動判別過程と、
所定の受信間隔でＧＰＳ衛星からのＧＰＳ測位電波を受信して時間情報を取得し、時間情報を更新する時間情報取得過程と、
航空機による移動がなされていると判別された場合に、前記時間情報取得過程により前記時間情報を取得させ、前記時間情報の更新を行わせる更新制御過程と、
を備えたことを特徴とする電子時計の制御方法。
【請求項７】
請求項６記載の電子時計の制御方法において、
前記航空機移動判別過程は、前記圧力差が所定の基準圧力差以上である場合に前記航空機による移動がなされていると判別することを特徴とする電子時計の制御方法。
【請求項８】
外部の気体の圧力を測定する圧力測定部と、所定の受信間隔でＧＰＳ衛星からのＧＰＳ測位電波を受信して時間情報を取得するＧＰＳ受信機と、を備えた電子時計をコンピュータにより制御するための制御プログラムにおいて、
前記圧力測定部に所定時間間隔毎に外部の気体の圧力を測定させ、
今回の測定圧力と前回の測定圧力との差である圧力差に基づいて、航空機による移動がなされているか否かを判別させ、
所定の受信間隔で前記ＧＰＳ受信機にＧＰＳ衛星からのＧＰＳ測位電波を受信させて時間情報を取得させ、時間情報を更新させ、
航空機による移動がなされていると判別された場合に、前記ＧＰＳ受信機に前記時間情報を取得させ、前記時間情報の更新を行わせる、
ことを特徴とする制御プログラム。
【請求項９】
請求項８記載の制御プログラムにおいて、
前記圧力差が所定の基準圧力差以上である場合に前記航空機による移動がなされていると判別させることを特徴とする制御プログラム。
【請求項１０】
請求項８または請求項９記載の制御プログラムにおいて、
航空機による移動がなされていると判別され、かつ、前記今回の測定圧力が前記前回の測定圧力より減少している場合には、前記ＧＰＳ受信機における受信間隔を所定の通常時間間隔より短い時間間隔とさせることを特徴とする制御プログラム。
【請求項１１】
請求項１０載の制御プログラムにおいて、
航空機による移動がなされていると判別され、かつ、前記今回の測定圧力が前記前回の測定圧力より増加している場合には、前記ＧＰＳ受信機における受信間隔を前記通常時間間隔とさせることを特徴とする制御プログラム。
【請求項１２】
請求項８ないし請求項１１の制御プログラムを記録したことを特徴とするコンピュータ読取可能な記録媒体。
【発明の詳細な説明】
【技術分野】
【０００１】
本発明は、電子時計、電子時計の制御方法、制御プログラム及び記録媒体に係り、特にＧＰＳ受信機を用いて時刻補正を行う電子時計、電子時計の制御方法、制御プログラム及び記録媒体に関する。
【背景技術】
【０００２】
従来よりＧＰＳ（Global Positioning System）衛星から高精度時刻情報を含むＧＰＳ測位電波を用いて海外旅行などにおける移動先のローカル時間情報を取得する方法が様々提案されている（例えば、特許文献１、特許文献２、特許文献３、特許文献４参照）
【特許文献１】特開２００３−１１４２９０号公報
【特許文献２】特開平８−１１０２３０号公報
【特許文献３】特開２００３−１６１７９２号公報
【特許文献１】特開２００３−１３９８７５号公報
【発明の開示】
【発明が解決しようとする課題】
【０００３】
しかしながら、移動先におけるローカル時間情報を得る際には、ＧＰＳによる計測をユーザが意識的に行う必要があり、不便であった。
これを解決すべく、ＧＰＳによる計測を自動で行う装置を考えた場合には、ＧＰＳによる計測を行う計測間隔を短くしておくのが好ましいが、ＧＰＳ内蔵腕時計などのように電源容量が小さな電子時計においては、電力消費量が多すぎて実用にはならないという問題点があった。
また、電力消費量を抑制すべく、計測を電波時計のように１日１回もしくは２回にしたような場合には、飛行機などで移動した場合には、飛行機における移動中や現地到着時にローカル時間と一致しないため、結局ユーザが手動で計測を指示しなければならないという問題点があった。
そこで、本発明の目的は、飛行機で移動する場合でもローカル時間を自動的に表示することができるとともに、消費電力の低減を図ることができる電子時計、電子時計の制御方法、制御プログラム及び記録媒体を提供することにある。
【課題を解決するための手段】
【０００４】
上記課題を解決するため、所定時間間隔毎に外部の気体の圧力を測定する圧力測定部と、今回の測定圧力と前回の測定圧力との差である圧力差に基づいて、航空機による移動がなされているか否かを判別する航空機移動判別部と、所定の受信間隔でＧＰＳ衛星からのＧＰＳ測位電波を受信して時間情報を取得し、時間情報を更新する時間情報取得部と、
航空機による移動がなされていると判別された場合に、前記時間情報取得部に前記時間情報を取得させ、前記時間情報の更新を行わせる更新制御部と、を備えたことを特徴としている。
上記構成によれば、圧力測定部は、所定時間間隔毎に外部の気体の圧力を測定する。
航空機移動判別部は、今回の測定圧力と前回の測定圧力との差である圧力差に基づいて、航空機による移動がなされているか否かを判別する。
時間情報取得部は、所定の受信間隔でＧＰＳ衛星からのＧＰＳ測位電波を受信して時間情報を取得し、時間情報を更新する。
これらの結果、更新制御部は、航空機による移動がなされていると判別された場合に、時間情報取得部に時間情報を取得させ、時間情報の更新を行わせる。
【０００５】
この場合において、前記航空機移動判別部は、前記圧力差が所定の基準圧力差以上である場合に前記航空機による移動がなされていると判別するようにしてもよい。
また、前記基準圧力差は、所定の高度差に相当するものであるようにしてもよい。
さらに、航空機による移動がなされていると判別され、かつ、前記今回の測定圧力が前記前回の測定圧力より減少している場合には、前記時間情報取得部における受信間隔を所定の通常時間間隔より短い時間間隔とする受信間隔制御部を備えるようにしてもよい。
さらにまた、前記受信間隔制御部は、航空機による移動がなされていると判別され、かつ、前記今回の測定圧力が前記前回の測定圧力より増加している場合には、前記時間情報取得部における受信間隔を前記通常時間間隔とするようにしてもよい。
【０００６】
また、電子時計の制御方法は、所定時間間隔毎に外部の気体の圧力を測定する圧力測定過程と、今回の測定圧力と前回の測定圧力との差である圧力差に基づいて、航空機による移動がなされているか否かを判別する航空機移動判別過程と、所定の受信間隔でＧＰＳ衛星からのＧＰＳ測位電波を受信して時間情報を取得し、時間情報を更新する時間情報取得過程と、航空機による移動がなされていると判別された場合に、前記時間情報取得過程により前記時間情報を取得させ、前記時間情報の更新を行わせる更新制御過程と、を備えたことを特徴としている。
この場合において、前記航空機移動判別過程は、前記圧力差が所定の基準圧力差以上である場合に前記航空機による移動がなされていると判別するようにしてもよい。
【０００７】
また、外部の気体の圧力を測定する圧力測定部と、所定の受信間隔でＧＰＳ衛星からのＧＰＳ測位電波を受信して時間情報を取得するＧＰＳ受信機と、を備えた電子時計をコンピュータにより制御するための制御プログラムは、前記圧力測定部に所定時間間隔毎に外部の気体の圧力を測定させ、今回の測定圧力と前回の測定圧力との差である圧力差に基づいて、航空機による移動がなされているか否かを判別させ、所定の受信間隔で前記ＧＰＳ受信機にＧＰＳ衛星からのＧＰＳ測位電波を受信させて時間情報を取得させ、時間情報を更新させ、航空機による移動がなされていると判別された場合に、前記ＧＰＳ受信機に前記時間情報を取得させ、前記時間情報の更新を行わせる、ことを特徴としている。
この場合において、前記圧力差が所定の基準圧力差以上である場合に前記航空機による移動がなされていると判別させるようにしてもよい。
【０００８】
また、航空機による移動がなされていると判別され、かつ、前記今回の測定圧力が前記前回の測定圧力より減少している場合には、前記ＧＰＳ受信機における受信間隔を所定の通常時間間隔より短い時間間隔とさせるようにしてもよい。
さらに、航空機による移動がなされていると判別され、かつ、前記今回の測定圧力が前記前回の測定圧力より増加している場合には、前記ＧＰＳ受信機における受信間隔を前記通常時間間隔とさせるようにしてもよい。
また、上記各制御プログラムをコンピュータ読取可能な記録媒体に記録するようにしてもよい。
【発明の効果】
【０００９】
本発明によれば、腕時計型電子時計のように、小型、携帯型の電子時計を装着あるいは携行して飛行機で移動する場合でもローカル時間を自動的に表示することができるとともに、消費電力の低減を図ることができる。
【発明を実施するための最良の形態】
【００１０】
次に図面を参照して本発明の好適な実施形態について説明する。
図１は実施形態の電子時計であるいわゆるダイブコンピュータの外観正面図である。
また、図２はダイブコンピュータの概要構成ブロック図である。
ダイブコンピュータ１は、潜水中のダイバーの深度や潜水時間を計算して表示するとともに、潜水中に体内に蓄積される不活性ガス量（主として窒素ガス量）を計測し、この計測結果から潜水後に水からあがった状態で体内に蓄積された窒素が排出されるまでの時間などを表示するように構成されている。
ダイブコンピュータ１は、円盤状の装置本体２に対して、図面上下方向に腕バンド３，４がそれぞれ連結され、この腕バンド３，４によって腕時計と同様にユーザの腕に装着されて使用されるようになっている。
【００１１】
装置本体２は、上ケースと下ケースとが完全水密状態でビス止めなどの方法で固定され、図示しない各種電子部品が内蔵されている。装置本体２の図面正面側には、液晶表示パネル１１を有する表示部１０が設けられている。
さらに装置本体２の図面下側にはダイブコンピュータ１における各種動作モードの選択／切替を行うための操作部５が形成され、操作部５は、プッシュボタン形式の二つのスイッチＡ、Ｂを有している。装置本体２の図面左側には潜水を開始したか否かを判別するために用いられる導通センサを用いた潜水動作スイッチ３０が構成されている。この潜水動作監視スイッチ３０は、装置本体２の図面正面側に設けられた電極３１，３２を有し、電極３１，３２間が海水などにより導通状態となることにより、電極３１，３２間の抵抗値が小さくなった場合に入水したと判断するものである。しかしながら、この潜水動作スイッチ３０は、あくまで入水したことを検出してダイブコンピュータ１の動作モードをダイビングモードに移行させるために用いるだけであり、実際に潜水（ダイビング）を開始した旨を検出するために用いられる訳ではない。すなわち、ダイブコンピュータ１を装着したユーザの腕が海水に浸かっただけの場合もあり、このような状態で潜水を開始したの判断するのは好ましくないからである。
【００１２】
このため、本ダイブコンピュータにおいては、装置本体２に内蔵した圧力センサによって水圧（水深）が一定値以上、より具体的には、水圧が水深にして１．５［ｍ］相当以上となった場合にダイビングを開始したものとみなし、かつ、水圧が水深にして１．５［ｍ］未満となった場合にダイビングが終了したものとみなしている。
図２に示すように、ダイブコンピュータ１は、大別すると、各種操作を行うための操作部５、各種情報を表示する表示部１０、潜水動作監視スイッチ３０、ブザーなどのアラーム音によりユーザに告知を行う報音装置３７、振動によりユーザに告知を行う振動発生装置３８、ダイブコンピュータ全体の制御を行う制御部５０、気圧あるいは水圧を計測するための圧力計測部６１および各種計時処理を行う計時部６８を備えて構成されている。表示部１０は、各種の情報を表示するための液晶表示パネル１１および液晶表示パネル１１を駆動するための液晶ドライバ１２を備えて構成されている。
【００１３】
制御部５０は、スイッチＡ、Ｂ（＝操作部５）および潜水動作監視スイッチ３０、報音装置３７および振動発生装置３８が接続されるとともに、装置全体の制御を行うＣＰＵ５１と、ＣＰＵ５１の制御下で、各動作モードに対応した表示を液晶表示パネル１１に行わせるため液晶ドライバ１２を制御し、あるいは、後述の時刻用カウンタ３３における各動作モードにおける処理を行う制御回路５２と、制御用プログラムおよび制御用データを格納したＲＯＭ５３と、各種データを一時的に格納するＲＡＭ５４と、を備えて構成されている。
【００１４】
また、圧力計測部６１は、ダイブコンピュータ１においては水深（水圧）を計測、表示するとともに、水深および潜水時間からユーザの体内に蓄積される不活性ガス量（主として窒素ガス量）を計測することが必要であるため、気圧および水圧を計測している。圧力計測部６１は、半導体圧力センサにより構成される圧力センサ３４と、この圧力センサ３４の出力信号を増幅するための増幅回路３５と、増幅回路３５の出力信号のアナログ／ディジタル変換を行い、制御部５０に出力するＡ／Ｄ変換回路３６と、を備えて構成されている。計時部６８は、ダイブコンピュータ１においては通常時刻の計測や潜水時間の監視をおこなうために、所定の周波数を有するクロック信号を出力する発振回路３１と、この発振回路３１からのクロック信号の分周を行う分周回路３２と、分周回路３２の出力信号に基づいて１秒単位での計時処理を行う時刻用カウンタ３３と、を備えて構成されている。
さらに時刻情報更新部７０は、ＧＰＳ衛星からのＧＰＳ測位電波を受信するＧＰＳ受信部７１と、ＧＰＳ測位電波に含まれる測位データから現在位置情報を抽出する位置検出部７２と、ＧＰＳ測位電波に含まれる測位データから時間情報（現在時刻情報）を抽出する時刻検出部７３と、ＧＰＳ測位電波の受信タイミング、現在位置情報の抽出タイミング、時間情報の抽出タイミングなどを制御するタイミング回路７４と、を備えている。
【００１５】
次に表示部の構成について図１を参照して詳細に説明する。
表示部１０を構成する液晶表示パネル１１の表示面は、９つの表示領域で構成されている。液晶表示パネル１１の表示面１１Ａは、８つの表示領域で構成されている。なお、本実施形態では、表示面１１Ａが円形の例を示したが、円形に限定されるものではなく、楕円形状、トラック形状、多角形状など他の形状であってもかまわない。
表示面１１Ａのうち、図面上部左側に位置する第１の表示領域１１１は、各表示領域のうちで最も大きく構成され、ダイビングモード、サーフェスモード（時刻表示モード）、プランニングモード、ログモード等の各種動作モードにおいて、それぞれ、現在水深、現在月日、水深ランク、潜水月日（ログ番号）が表示される。
第２の表示領域１１２は、第１の表示領域１１１の図面右側に位置し、ダイビングモード、サーフェスモード（時刻表示モード）、プランニングモード、ログモードにおいて、それぞれ潜水時間、現在時刻、無減圧潜水可能時間、潜水開始時刻（潜水時間）が表示される。
【００１６】
第３の表示領域１１３は、第１の表示領域１１１の図面下側に位置し、ダイビングモード、サーフェスモード（時刻表示モード）、プランニングモード、ログモードにおいて、それぞれ、最大水深、体内窒素排出時間、セーフティレベル、最大水深（平均水深）が表示される。
第４の表示領域１１４は、第３の表示領域１１３の図面右側に位置し、ダイビングモード、サーフェスモード（時刻表示モード）、プランニングモード、ログモードにおいて、それぞれ無減圧潜水可能時間、水面休止時間、温度、潜水終了時刻（最大水深時水温）が表示される。
第５の表示領域１１５は、第３の表示領域１１３の図面下側に位置し、電源容量切れを表示する電源容量切れ警告表示部１０４やユーザの現在の高度の属する高度ランクを表示する高度ランク表示部１０３が設けられている。
【００１７】
第６の表示領域１１６は、表示領域１１Ａのうち図面下部左側に位置し、体内窒素量がグラフ表示される。
第７の表示領域１１７は、第６の表示領域１１６の図面右側に位置し、ダイビングモードで減圧潜水状態になった場合に、窒素ガス（不活性ガス）が吸収傾向にあるのか、排出傾向にあるかを示す領域（図中、上下方向矢印が図示されている）と、浮上速度が高すぎる場合に浮上速度違反警告のひとつとして減速を指示するための「ＳＬＯＷ」を表示する領域と、潜水中に減圧潜水を行わなければならない旨を警告するための「ＤＥＣＯ」を表示する領域と、を備えて構成されている。
第８の表示領域１１８は、第２の表示領域１１２および第４の表示領域１１４の図面右側に位置し、浮上速度が９個のセグメントによりグラフ表示され、例えば、浮上速度が現水深域における浮上上限速度を超過している場合には、９個全てのセグメントが点滅表示となり、現水深域における浮上上限速度を超えている旨をダイバーに通知するようになっている。
【００１８】
図３は、ダイブコンピュータの時刻更新概要処理フローチャートである。
ＣＰＵ５１は、１０分毎の計測タイミングに至ると（ステップＳ１）、圧力計測部６１を駆動し、気圧（高度）を計測させる（ステップＳ２）。
具体的には、圧力計測部６１の圧力センサ３４は、気圧（あるいは水圧）を計測し、計測圧力値に対応する電圧を有する出力信号を増幅回路３５に出力する。
増幅回路３５は、圧力センサ３４の出力信号を増幅して増幅出力信号としてＡ／Ｄ変換回路３６に出力する。これにより、Ａ／Ｄ変換回路３６は、増幅出力信号のアナログ／ディジタル変換を行い、制御部５０のＣＰＵ５１に気圧（高度）計測データとして出力する。
これによりＣＰＵ５１は、気圧計測データ（今回の測定圧力に相当）をＲＡＭ５４に記憶する（ステップＳ３）。
【００１９】
続いてＣＰＵ１１は、ＲＡＭ５４から、１時間前の気圧計測データ（前回の測定圧力に相当）をＲＡＭ５４から読み出し、今回の気圧計測データと比較して（ステップＳ４）、その圧力差が航空機による移動がなされている場合に生じ得る圧力差（基準圧力差）以上であるか否かを判別する（ステップＳ５）。
具体的には、例えば、圧力差が高度２０００ｍ差に相当する基準圧力差以上であるか否かを判別する。ここで基準圧力差としては、高度０ｍで気圧が１０１３ｈＰａであるとすると、高度１０００ｍでは気圧が９００ｈＰａ、高度２０００ｍでは気圧が８００ｈＰａ程度であると考えられるので、高度差２０００ｍでは２００ｈＰａ程度となる。
【００２０】
ステップＳ５の判別において、圧力差が高度差２０００ｍ以上に相当する以上の変化があった場合、すなわち、１時間で高度差２０００ｍ以上というのは航空機による移動がなされている可能性が非常に高い場合であるので、ＣＰＵ５１は、タイミング回路７４を介してＧＰＳ受信部７１にＧＰＳ衛星からのＧＰＳ測位電波を受信させる（ステップＳ６）。
これにより位置検出部７２は、ＧＰＳ測位電波に含まれる測位データから現在位置情報を抽出する。また、時刻検出部７３は、ＧＰＳ測位電波に含まれる測位データから時間情報（現在時刻情報）を抽出する。ＣＰＵ５１は、得られた時間情報（現在時刻情報）および位置情報に基づいて現在位置におけるローカル時間を算出し、算出したローカル時間をＲＡＭ５４に記憶する（ステップＳ７）。なお、この時点では、表示部１０に表示しているローカル時間の更新は行わず、航空機による移動前のローカル時間の表示をそのまま継続している。
【００２１】
次に、ステップＳ４において検出した圧力差、すなわち、高度差が２０００ｍ以上の増加に相当するのか否かを判別する（ステップＳ８）。
ステップＳ８の判別において、高度差が２０００ｍ以上の増加に相当する場合には（ステップＳ８；Ｙｅｓ）、航空機により移動がなされており、ユーザが時差のある場所へ移動しているものと判別し、タイミング回路７４は、ＧＰＳ受信部７１が１時間毎に測定を行うようにタイミング変更を行う。
すなわち、航空機による移動がなされていると判別され、かつ、今回の測定圧力が前回の測定圧力より減少している場合には、ＧＰＳ受信部における受信間隔を所定の通常時間間隔（本実施形態では、ＡＭ２：００を起点時刻とする２４時間）より短い時間間隔（本実施形態では１時間）とするのである。
【００２２】
これにより、飛行機で移動している間の現在位置をトレースし、時差を考慮した時刻計算を行うこととなる。ただし、この場合には、表示部１０の液晶表示パネルの表示は変更せず、飛行機搭乗前に継続する時刻表示を行っている。
ステップＳ８の判別において、高度差が２０００ｍ以上の減少に相当する場合には（ステップＳ８；Ｎｏ）、航空機が目的地に到着したものと判別し、ＣＰＵ５１は、ステップＳ７においてＲＡＭ５４に記憶していたローカル時間を読み出し、表示部１０の液晶表示パネル１１に正確なローカル時間を表示する（ステップＳ１０）。
さらに、タイミング回路７４は、ＧＰＳ受信部７１が通常のＡＭ２：００を起点時刻とする２４時間毎に測定を行うようにタイミング変更を行う（ステップＳ１１）。
【００２３】
以上の説明のように、本実施形態によれば、時差のある場所に移動する場合に、航空機搭乗を圧力センサ３４により検出し、ＧＰＳ受信部７１を利用して、移動先の場所、ローカル時間に合わせて表示を自動的に更新するので、ユーザが意識することなくローカル時間の表示を行うことができ、利便性が向上する。
また、ＧＰＳ受信部における受信は、必要最低限程度に抑えているので、消費電力の低減が図れる。
以上の説明においては、基準圧力差を高度差２０００ｍとしていたが、航空機で移動していると判断できる圧力差に相当する高度差であれば、適宜変更することが可能である。
【００２４】
以上の説明においては、電子時計としてのダイブコンピュータを制御するための制御プログラムが予めＲＯＭに記憶されている場合について説明したが、各種磁気ディスク、光ディスク、メモリカードなどの記録媒体に制御用プログラムをあらかじめ記録し、これらの記録媒体から読み込み、インストールするように構成することも可能である。また、通信インターフェースを設け、インターネット、ＬＡＮなどのネットワークを介して制御用プログラムをダウンロードし、インストールして実行するように構成することも可能である。このように構成することにより、ソフトウェア的により高機能としたり、より信頼性の高い電子時計を構成することが可能となる。
以上の説明においては、電子時計の一例としてダイブコンピュータの場合について説明したが、これに限られるものではなく、自動時刻合わせ機能を有する一般的な電子時計（ディジタルおよびアナログ）であれば適用が可能である。
以上の説明においては、電子時計（ダイブコンピュータ）が腕装着型の場合について説明したが、これに限られるものではなく、ペンダント型、、ネックレス型、胴部装着型（ベルト型）、あるいは、指輪型、懐中時計型などの変形が考えられる。
【図面の簡単な説明】
【００２５】
【図１】ダイブコンピュータの外観正面図である。
【図２】ダイブコンピュータの概要構成ブロック図である。
【図３】時刻情報更新制御処理の概要処理フローチャートである。
【符号の説明】
【００２６】
１…ダイブコンピュータ（電子時計）、５…操作部、１０…表示部、１１…液晶表示パネル、１２…液晶ドライバ、３０…潜水動作監視スイッチ、３７…報音装置、３８…振動発生装置、５０…制御部、５１…ＣＰＵ（航空機移動判別部）、６１…圧力計測部（圧力測定部）、６８…計時部、７０…時刻情報更新部（更新制御部）、７１…ＧＰＳ受信部（時間情報取得部）、７２…位置検出部、７３…時刻検出部、７４…タイミング回路。
【図１】
2005221449.tif 000003
【図２】
2005221449.tif 000004
【図３】
2005221449.tif 000005
【手続補正書】
【提出日】平成16年2月9日(2004.2.9)
【手続補正１】
【補正対象書類名】明細書
【補正対象項目名】０００２
【補正方法】変更
【補正の内容】
【０００２】
従来よりＧＰＳ（Global Positioning System）衛星から高精度時刻情報を含むＧＰＳ測位電波を用いて海外旅行などにおける移動先のローカル時間情報を取得する方法が様々提案されている（例えば、特許文献１、特許文献２、特許文献３、特許文献４参照）
【特許文献１】特開２００３−１１４２９０号公報
【特許文献２】特開平８−１１０２３０号公報
【特許文献３】特開２００３−１６１７９２号公報
【特許文献４】特開２００３−１３９８７５号公報